(57)【要約】【課題】  光ディスクに記録されるデータの最終位置のずれを適切に補正すること。【解決手段】  記憶媒体に形成された記録位置基準情報から第１の記録位置基準信号を、記録媒体に記録された記録データに含まれる同期信号に基づいて第２の記録位置基準信号を生成する。そして、記録媒体にデータが記録されている記録済エリアとデータが記録されていない未記録エリアとを判別すると共に、記録済エリアでは第２の記録位置基準信号を選択してＰＬＬ回路へ出力し、未記録エリアでは第１の記録位置基準信号を選択してＰＬＬ回路へ出力し、ＰＬＬ回路で記録用基準クロックを生成する。【選択図】  図８
2006318617.tif 000002
【特許請求の範囲】
【請求項１】
記憶媒体に形成された記録位置基準情報から第１の記録位置基準信号を生成する第１の基準信号生成部と、
前記記録媒体に記録された記録データに含まれる同期信号に基づいて第２の記録位置基準信号を生成する第２の基準信号生成部と、
第１の記録位置基準信号及び第２の記録位置基準信号のいずれか一方を選択し、記録位置基準信号として出力する選択部と、
前記記録位置基準信号から記録用基準クロックを生成するＰＬＬ回路と、
を有する基準クロック生成回路であって、
前記選択部は、
前記記録媒体にデータが記録されている記録済エリアとデータが記録されていない未記録エリアとを判別すると共に、記録済エリアでは第２の擬似記録位置基準信号を選択して前記ＰＬＬ回路へ出力し、未記録エリアでは第１の記録位置基準信号を選択して前記ＰＬＬ回路へ出力する基準クロック生成回路。
【請求項２】
第１の記録位置基準信号と第２の記録位置基準信号との位相差を計測する位相差計測部を有し、
第２の基準信号生成部は、
前記位相差計測部により計測された位相差に基づいて、第２の記録位置基準信号の位相を調整することを特徴とする請求項１に記載の基準クロック生成回路。
【請求項３】
前記記録データ信号及び前記基準位置情報信号が含まれる校正用信号を生成する校正用信号生成部を有し、
第２の基準信号生成部は、
前記校正用信号が入力されたときに、第２の記録位置基準信号の位相を調整することを特徴とする請求項２に記載の基準クロック生成回路。
【請求項４】
記録媒体に記録されている記録データ及び前記記録媒体に予め形成された記録位置基準情報を読み取る読取部と、
前記基準位置情報から第１の記録位置基準信号を生成する第１の基準信号生成部と、
前記記録データに含まれる同期信号に基づいて第２の記録位置基準信号を生成する第２の基準信号生成部と、
第１の記録位置基準信号及び第２の記録位置基準信号のいずれか一方を選択し、記録位置基準信号として出力する選択部と、
前記記録位置基準信号から記録用基準クロックを生成するＰＬＬ回路と、
前記記録用基準クロックに基づいて、前記記録媒体へのデータ記録を行う記録部と、を有する記録媒体再生装置であって、
前記選択部は、
前記記録媒体にデータが記録されている記録済エリアとデータが記録されていない未記録エリアとを判別すると共に、記録済エリアでは第２の記録位置基準信号を選択して前記ＰＬＬ回路へ出力し、未記録エリアでは第１の記録位置基準信号を選択して前記ＰＬＬ回路へ出力する記録媒体記録装置。
【発明の詳細な説明】
【技術分野】
【０００１】
本発明は、基準クロック生成の技術に関する。詳細には、記録媒体記録装置において、記憶媒体へデータを書き込む際の基準クロックを生成する技術に関する。
【背景技術】
【０００２】
従来より、いわゆるＣＤ（Compact disc）やＤＶＤ（Digital Video/Versatile Disc）のような光ディスクに対して情報を記録し、又これらの光ディスクに記録されたデータを再生する光ディスク記録再生装置が知られている。
【０００３】
これらの光ディスクに情報を記録する際、光ディスクの所定の位置にデータを記録することができるように、光ディスクには予めアドレス情報が形成されている。
【０００４】
たとえば、ＤＶＤ−Ｒ／ＲＷの規格に適合した光ディスクの記録面には、図18に示すように、情報を書き込むためのグルーブトラックと、アドレス情報としてのランドプリピット（Land-Pre-Pit）がプリフォーマットされたランドトラックとが螺旋状に形成されている。光ディスク記録再生装置は、光ピックアップによってランドプリピット（以下、「ＬＰＰ」という。）を検出することで、グルーブトラック上の位置を判別しながら情報の記録再生を行う。
【０００５】
また、ＤＶＤ＋Ｒ／ＲＷの規格に適合した光ディスクの記録面には、図19に示すように、アドレス情報が予めウォブルに埋め込まれたＡＤＩＰ(Address In Pre-groove)としてプリフォーマットされ、且つ情報を書き込み可能なグルーブトラックと、グルーブトラック間に位置するランドトラックとが螺旋状に形成されている。
【０００６】
すなわち、ＤＶＤ＋Ｒ／ＲＷにおいては、グルーブトラックの側壁をアドレス情報に対応してウォブリング（蛇行）しており、光ディスク記録再生装置は、光ピックアップによってこのウォブリング情報を検出することで、グルーブトラック上の位置を判別しながら情報の記録再生を行う。
【０００７】
このように、光ディスク記録再生装置は、光ディスク上にプリフォーマットされたアドレス情報を検出することによって、情報を記録すべき光ディスクの位置を特定し、光ディスクへの情報の記録を行っている。
【０００８】
ところで、記録対象となる光ディスクの状態が悪い場合、例えば、光ディスク記録面の傷やアドレス情報のプリフォーマットの状態が悪い粗悪品であるときには、上述の規格に定められた位置にてデータの記録が終了しないことがある。
【０００９】
また、このような現象は、光ディスクへの記録終了直前に光ディスク記録再生装置に物理的な衝撃が発生して装置内部のＰＬＬ回路が生成する記録用クロックがずれたりすることによっても発生する。
【００１０】
加えて、既に光ディスクにデータが記録、すなわち記録ビットが存在する区間では、その記録ビットとの干渉によって、アドレス情報（ウォブル信号やＬＰＰ信号）の読み取り精度が悪くなり、このアドレス情報から生成した記録クロックの精度が悪くなることによっても発生する。
【００１１】
このようにデータ終了位置のずれが生じると、次に光ディスクに記憶するデータとの関係において、次のような問題が生じる。
【００１２】
すなわち、図20（ａ）に示すように、光ディスクへ本来記憶されるべき位置まで行かずにその手前がデータ１の最終記録位置となったような場合、このデータ１と次に記録されるデータ２との間に何も記録されない領域が発生してしまう。そして、このような領域が生じると、ビット同期処理やフレーム同期処理などに影響を及ぼし、光ディスクからデータ２を良好に再生することができないことがある。
【００１３】
また、図20（ｂ）に示すように、光ディスクへ本来記憶されるべき位置をはみ出してデータ１が記憶されたような場合、この記録されたデータ１の後半の一部が次に記録されるデータ２によって上書きされてしまい、データ１の記録が一部欠けてしまうことがある。
【００１４】
そこで、光ディスクのグルーブトラックにすでに記録しているデータから同期信号を抽出し、この同期信号により新たに記録するデータのタイミングを調整する方式が提案されている（例えば、特許文献１参照。）。
【００１５】
この方式によれば、光ディスクへ本来記憶されるべき位置まで行かずにその手前がデータ１の最終記録位置となったような場合であっても、また、光ディスクへ本来記憶されるべき位置をはみ出してデータ１が記憶されたような場合であっても、図21に示すように、すでに記録されたデータの最終位置に連続して次のデータの記録をすることができるため、同期処理への影響や上書きなどの問題を回避することが可能となる。
【００１６】
また、別の方法として、すでにデータが記録されている位置とデータが本来記憶すべき位置とのずれ量を検出する検出手段を設け、新たなデータを記録するときにそのずれ量が小さくなるように調整する方式が提案されている（例えば、特許文献２参照。）。
【００１７】
より具体的には、新たなデータを記録する前は、光ディスクに記録されているデータから生成した再生用クロック応じて記録用クロックを制御し、新たなデータの記録を開始した後はアドレス情報（ウォブル信号）と検出したずれ量とに応じて記録用クロックを制御する。
【００１８】
この方式によれば、光ディスクへ本来記憶されるべき位置まで行かずにその手前がデータの最終記録位置となったような場合であっても、すでに記録されたデータの最終位置に連続して次のデータの記録をすることができると共に、その位置ずれが継続を回避することができる。
【特許文献１】特開２０００−１８７９４７号公報
【特許文献２】特開２００３−  ３０８４１号公報
【発明の開示】
【発明が解決しようとする課題】
【００１９】
ところが、上記特許文献１では、すでに記録されたデータの最終位置に連続して次のデータの記録し、すでに記録されたデータの最終位置ずれが次のデータにおいても残ってしまい、規格に違反した状態がそのまま継続する。
【００２０】
しかも、記録用クロックのずれが発生すると、データの最終位置のずれがさらに大きくなってしまうことがある。
【００２１】
また、上記特許文献２では、データの最終位置のずれを補正することができるが、すでにデータが記録されている位置とデータが本来記憶すべき位置とのずれ量を検出し、さらにその検出量に基づいて記録用クロックを制御する必要があるため、その記録用クロックの生成シーケンスが複雑になり、回路規模の増大を招いてしまう。
【００２２】
また、各光ディスクの規格において記録基準信号（ウォブル信号など）の基準周波数に違いがあることから、その違いに対してそれぞれ対応する必要があり、汎用性に欠ける。
【００２３】
本発明は、このような課題を鑑みてなされたものであり、次にこの課題を解決するための手段とその効果を説明する。
【課題を解決するための手段】
【００２４】
そこで、請求項１に記載の発明は、記憶媒体に形成されたアドレス情報から第１の記録位置基準信号を生成する第１の基準信号生成部と、前記記録媒体に記録された記録データに含まれる同期信号に基づいて第２の記録位置基準信号を生成する第２の基準信号生成部と、第１の記録位置基準信号及び第２の記録位置基準信号のいずれか一方を選択し、記録位置基準信号として出力する選択部と、前記記録位置基準信号から記録用基準クロックを生成するＰＬＬ回路と、を有する基準クロック生成回路であって、前記選択部は、前記記録媒体にデータが記録されている記録済エリアとデータが記録されていない未記録エリアとを判別すると共に、記録済エリアでは第２記録位置基準信号を選択して前記ＰＬＬ回路へ出力し、未記録エリアでは第１記録位置基準信号を選択して前記ＰＬＬ回路へ出力することを特徴とする。
【００２５】
また、請求項２に記載の発明は、請求項１に記載の発明であって、第１の記録位置基準信号と第２の記録位置基準信号との位相差を計測する位相差計測部を有し、第２の基準信号生成部は、前記位相差計測部により計測された位相差に基づいて、第２の記録位置基準信号の位相を調整することを特徴とする。
【００２６】
また、請求項３に記載の発明は、請求項２に記載の発明であって、前記記録データ信号及び前記基準位置情報信号が含まれる校正用信号を生成する校正用信号生成部を有し、第２の基準信号生成部は、前記校正用信号が入力されたときに、第２の記録位置基準信号の位相を調整することを特徴とする。
【００２７】
また、請求項４に記載の発明は、記録媒体に記録されている記録データ及び前記記録媒体に予め形成されたアドレス情報を読み取る読取部と、前記基準位置情報から第１の記録位置基準信号を生成する第１の基準信号生成部と、前記記録データに含まれる同期信号に基づいて第２の記録位置基準信号を生成する第２の基準信号生成部と、第１の記録位置基準信号及び第２の記録位置基準信号のいずれか一方を選択し、記録位置基準信号として出力する選択部と、前記記録位置基準信号から記録用基準クロックを生成するＰＬＬ回路と、前記記録用基準クロックに基づいて、前記記録媒体へのデータ記録を行う記録部と、を有する記録媒体再生装置であって、前記選択部は、前記記録媒体にデータが記録されている記録済エリアとデータが記録されていない未記録エリアとを判別すると共に、記録済エリアでは第２の記録位置基準信号を選択して前記ＰＬＬ回路へ出力し、未記録エリアでは第１の記録位置基準信号を選択して前記ＰＬＬ回路へ出力することを特徴とする。
【発明の効果】
【００２８】
請求項１に記載の発明によれば、記憶媒体に形成されたアドレス情報から第１の記録位置基準信号を生成する第１の基準信号生成部と、前記記録媒体に記録された記録データに含まれる同期信号に基づいて第２の記録位置基準信号を生成する第２の基準信号生成部と、第１の記録位置基準信号及び第２の記録位置基準信号のいずれか一方を選択し、記録位置基準信号として出力する選択部と、前記記録位置基準信号から記録用基準クロックを生成するＰＬＬ回路と、を有する基準クロック生成回路であって、前記選択部は、前記記録媒体にデータが記録されている記録済エリアとデータが記録されていない未記録エリアとを判別すると共に、記録済エリアでは第２の記録位置基準信号を選択して前記ＰＬＬ回路へ出力し、未記録エリアでは第１の記録位置基準信号を選択して前記ＰＬＬ回路へ出力するので、既に記録されたデータに連続するようにデータを記録することができ、しかも、記録終了位置のずれをも補正することができる。したがって、従来のようにデータが記録されている位置とデータが本来記憶すべき位置とのずれ量を検出するといった複雑な回路構成を持つ必要がない。
【００２９】
また、請求項２に記載の発明によれば、第１の記録位置基準信号と第２の記録位置基準信号との位相差を計測する位相差計測部を有し、第２の基準信号生成部は、前記位相差計測部により計測された位相差に基づいて、第２の記録位置基準信号の位相を調整するので、第１の記録位置基準信号と第２の記録位置基準信号との間に生じる遅延差を、位相差計測回路によって校正するようにしたので、個体差をそれほど気にすることなく設計を行なうことができ、しかも、その校正の実施も簡易な構成にて行なうことが可能となる。
【００３０】
また、請求項３に記載の発明によれば、前記記録データ信号及び前記基準位置情報信号が含まれる校正用信号を生成する校正用信号生成部を有し、第２の基準信号生成部は、前記校正用信号が入力されたときに、第２の記録位置基準信号の位相を調整するので、校正用光ディスクを使用する必要がなく、この校正用光校正動作の実施を適宜自動的に行なうことが可能となる。
【００３１】
また、請求項４に記載の発明によれば、記録媒体に記録されている記録データ及び前記記録媒体に予め形成されたアドレス情報を読み取る読取部と、前記基準位置情報から第１の記録位置基準信号を生成する第１の基準信号生成部と、前記記録データに含まれる同期信号に基づいて第２の記録位置基準信号を生成する第２の基準信号生成部と、第１の記録位置基準信号及び第２の記録位置基準信号のいずれか一方を選択し、記録位置基準信号として出力する選択部と、前記記録位置基準信号から記録用基準クロックを生成するＰＬＬ回路と、前記記録用基準クロックに基づいて、前記記録媒体へのデータ記録を行う記録部と、を有する記録媒体再生装置であって、前記選択部は、前記記録媒体にデータが記録されている記録済エリアとデータが記録されていない未記録エリアとを判別すると共に、記録済エリアでは第２の記録位置基準信号を選択して前記ＰＬＬ回路へ出力し、未記録エリアでは第１の記録位置基準信号を選択して前記ＰＬＬ回路へ出力するので、既に記録されたデータに連続するようにデータを記録することができ、しかも、記録終了位置のずれをも補正することができる。したがって、従来のようにデータが記録されている位置とデータが本来記憶すべき位置とのずれ量を検出するといった複雑な回路構成を持つ必要がない。
【発明を実施するための最良の形態】
【００３２】
以下、記録媒体である光ディスクの構成、光ディスク記録装置である光ディスク記録装置の構成及びその動作について、順に説明する。
【００３３】
まず、ＤＶＤ−ＲやＤＶＤ−ＲＷなどの光ディスク１の構成について、図１〜７を用いて説明する。
【００３４】
光ディスク１の記録面には、図１に示すように、記録ビット104を書き込むためのグルーブトラック領域101と、記録位置基準情報としてのＬＰＰ103がプリフォーマットされたランドトラック領域102とが螺旋状に形成されている。また、グルーブトラック領域101には、記録位置基準情報としてのウォブル105も形成されている。
【００３５】
また、光ディスク１は、複数のセクタ(sector)を有しており、光ディスク記録装置Ａは、データの記録・再生をこのセクタ単位で行う。また、このセクタは、13行26同期フレームから構成されている。
【００３６】
以下、データ記録可能な記録領域であるグルーブ領域101及びアドレス情報等を有するアドレス領域であるランドトラック領域102の１セクタの具体的構成を説明する。
【００３７】
図２に光ディスク１のグルーブトラック領域101のセクタ構成を示す。図２に示すように、一つのセクタは13行26同期フレームから構成され、各同期フレームは、その先頭に同期信号（SYNC信号）が配置され、次にチャネルビットデータが配置される。
【００３８】
なお、この同期信号は、チャネルビットデータとの識別のため、チャネルビットデータに現れる記録マークの長さよりも長い記録マーク（クロックを１Ｔとした場合に、14Ｔ）が配置される。
【００３９】
次に、ランドトラック領域102のセクタ構成について説明する。図３はランドトラック領域102のセクタ構成を示す図であり、このランドトラック領域102のセクタは隣接するグルーブトラック領域101のセクタに対応するように配置されている。
【００４０】
また、このランドトラック領域102のセクタは、グルーブトラック領域101の同期フレームに対応するように、13行26同期フレームから構成される。
【００４１】
そして、１行の２同期フレームは、１同期フレーム(奇数)と１同期フレーム(偶数)とで構成される。
【００４２】
ここで、図４に２同期フレームのグルーブトラック領域101及びランドトラック102領域の物理的な外観を示す。各同期フレームは８つのウォブル105の長さである。
【００４３】
また、1行目の同期フレームには、フレーム同期信号（Pre-pit Sync）が配置され、２行目以降の同期フレームには、プリピットデータ（Pre-pit data）0〜11が配置される。
【００４４】
そして、フレーム同期信号やプリピットデータ0〜11は、各行の２つの同期フレームのうちいずれかに格納される。
【００４５】
なお、フレーム同期信号及びプリピットデータ共に、１同期フレームのウォブル105の最初の３頂点（１頂点目を「ｂ２」、２頂点目を「ｂ１」、３頂点目を「ｂ０」とする）の少なくとも一つに位置するように形成され、図５に示すようにｂ２〜ｂ０のＬＰＰの有無により、フレーム同期信号（偶数）と（奇数）、及びＬＰＰデータの「０」と「１」の識別できるように構成される。
【００４６】
また、プリピットデータ0〜3は、セクタのアドレス（以下「セクタアドレス」とする）を意味し、プリピットデータ4〜11は、誤り訂正符号（ＥＣＣ）ブロックのアドレス（以下、「ブロックアドレス」等を構成するデータを意味する。
【００４７】
ここで、ＥＣＣブロックは、セクタ0000b〜1111b（16個のセクタ）により構成されており、ブロックアドレス及びそのParity A（以下、「ＥＣＣ誤り訂正符号」とする）は、セクタアドレス0000b〜0101bのプリピットデータ4〜11から、フィールドＩＤやディスク情報並びにその誤り訂正符号（Parity B）は、セクタアドレス0110b〜1111bのプリピットデータ4〜11から、それぞれ構成される（図６参照）。
【００４８】
ここで、フレーム同期信号及びＬＰＰデータ共に、図６に示すようにｂ２の位置にＬＰＰ103が配置されることになる。
【００４９】
図７にｂ２位置付近で検出するＬＰＰ信号と同期信号との関係を示す。
【００５０】
ランドトラック領域102のｂ２位置に隣接するグルーブ領域101には、比較的長い記録マークを含む同期信号が対応して存在し、この同期信号は１４Ｔの記録マークを含んでいる。
【００５１】
（第１実施形態）
次に、上述の光ディスク１にデータを記録することができる光ディスク記録装置Ａについて、以下図８を参照して説明する。図８は、光ディスク記録装置Ａにおける記録用基準クロック生成に関連するブロックを示す図である。
【００５２】
図８に示すように、光ディスク記録装置Ａは、光ピックアップ２と、ＲＦ信号処理増幅回路３と、記録位置基準信号処理増幅回路４と、再生用基準クロック生成ＰＬＬ回路５と、ＲＦデータ系列ＳＹＮＣ検出回路６と、擬似記録位置基準信号生成回路７と、選択部８と、記録用基準クロック生成ＰＬＬ回路９とを有している。なお、記録位置基準信号処理増幅回路４と、再生用基準クロック生成ＰＬＬ回路５と、ＲＦデータ系列ＳＹＮＣ検出回路６と、擬似記録位置基準信号生成回路７と、選択部８と、記録用基準クロック生成ＰＬＬ回路９とで基準クロック生成回路を構成する。
【００５３】
光ピックアップ２は、光学ヘッドである、ＬＤ（レーザーダイオード）により光レーザを光ディスク１に照射し、その反射光を複数の領域に分割された受光素子で受光する。そして、複数の領域で受光した反射光をそれぞれ電気信号に変換する。また、それらの電気信号の差分から、ウォブリング周波数成分とＬＰＰ信号成分を含むラジアルプッシュプル（Radial push-pull）信号を生成する。
【００５４】
ＲＦ信号処理増幅回路３は、光ピックアップ２の複数の受光素子で得られた電気信号を加算することによってＲＦ（Radio Frequency）信号を抽出する。その後、ＲＦ信号に振幅増幅及び波形等化の処理を行い、符号間干渉を除去すると共に、高調波成分を強調した信号に変換する。そして、変換された信号を比較器及び積分回路から構成されるスライサによって二値化してデータ再生信号を生成する。
【００５５】
記録位置基準信号処理増幅回路４は、光ピックアップ２から出力されたラジアルプッシュプル信号からウォブリング周波数成分の抽出及び増幅処理を行なったウォブル信号を記録位置基準信号Ｓ６として生成し、出力する。この記録位置基準信号処理増幅回路４は、第１の基準信号生成部に対応し、記録位置基準信号Ｓ６は第１の記録位置基準信号に対応する。なお、ウォブリング周波数成分の抽出は、少なくとも１４０．６４ｋＨｚ及びその前後近傍を通過させるバンドパスフィルタによって行なう。
【００５６】
再生用基準クロック生成ＰＬＬ回路５は、ＲＦ信号処理増幅回路３から出力されたデータ再生信号Ｓ２を入力し、再生クロックの１４周期に、このデータ再生信号Ｓ２に繰り返し表れる同期信号（１４Ｔ）が合致するようにＰＬＬ回路のクロック周波数を合わせ込むことによって、再生クロック信号Ｓ３を生成する。
【００５７】
ＲＦデータ系列ＳＹＮＣ検出回路６は、再生クロック信号Ｓ３で動作し、入力されるデータ再生信号Ｓ２に同期信号を検出すると、「Ｈ」レベルの同期検出信号Ｓ４を出力する。なお、同期信号の検出は、１４Ｔの連続するマーク又はスペースを含むデータを検出することによって行なう。
【００５８】
擬似記録位置基準信号生成回路７は、再生クロック信号Ｓ３及び同期検出信号Ｓ４から擬似的な記録位置基準信号（以下、「擬似記録位置基準信号」とする。）Ｓ５を生成する。この擬似記録位置基準信号Ｓ５は、選択的に、後述の記録用基準クロック生成ＰＬＬ回路９のリファレンス信号となる信号である。この擬似記録位置基準信号生成回路７は、第２の基準信号生成部に対応し、擬似記録位置基準信号Ｓ５は第２の記録位置基準信号に対応する。
【００５９】
この擬似記録位置基準信号生成回路７は、図９に示すように、再生クロック信号Ｓ３の立ち上がりで内部のレジスタの値をインクリメントして、そのレジスタの値を信号Ｓ10として出力するカウンタ７ａと、カウンタから出力される信号Ｓ10から擬似記憶位置基準信号を生成するデコーダ７ｂとから構成されている。
【００６０】
カウンタ７ａは、０〜１８５までをカウントするカウンタであり、１８５までカウントすると再度０からカウントを開始する。ＤＶＤ−Ｒなどでは１ウォブル（Wobble）の周期が１８６Ｔとなっており、０〜１８５までをカウントすることで、１ウォブルの周期で一巡する。
【００６１】
また、デコーダ７ｂは、カウンタ７ａからの信号Ｓ10のレベルが第１の範囲であるときには「Ｌ」レベルの信号を、第２の範囲であるときには「Ｈ」レベルの信号を内部のローパスフィルタ回路へ出力し、このローパスフィルタ回路で正弦波に変換する。このように変換された１ウォブル周期の正弦波は、擬似記録位置基準信号生成回路７から信号Ｓ５として出力される。
【００６２】
このように、擬似記録位置基準信号生成回路７は、図10に示すように、記録済ＲＦ信号から抽出された再生クロック信号Ｓ３から信号Ｓ10を生成したのち、デコーダ７ｂで矩形波信号に変換し、ローパスフィルタ回路によって擬似記録位置基準信号Ｓ５に変換される。なお、カウンタ７ａが同期検出信号Ｓ４によってリセットされることによって、再生クロック信号Ｓ３と擬似記録位置基準信号Ｓ５との同期精度が保たれる。また、記録位置基準信号Ｓ６をスライサによって二値化された信号として処理する場合、前記デコーダ7ｂで生成した矩形波を擬似記録位置基準信号Ｓ５として用いてもよい。
【００６３】
選択部８は、記録位置基準信号Ｓ６及び擬似記録位置基準信号Ｓ５のいずれか一方を選択して、記録用基準クロック生成ＰＬＬ回路９に入力する機能を有し、信号切替手段８ａと、切替タイミング生成回路８ｂとから構成される。
【００６４】
信号切替手段８ａは、記録位置基準信号Ｓ６及び擬似記録位置基準信号Ｓ５のいずれか一方を選択して、記録用基準クロック生成ＰＬＬ回路９に入力するセレクタ回路であり、切替タイミング生成回路８ｂから出力される信号Ｓ７に基づいて、その選択を行なう。
【００６５】
切替タイミング生成回路８ｂは、光ディスク１にデータが記録されている記録済エリアとデータが記録されていない未記録エリアとを判別すると共に、記録済エリアでは擬似記録位置基準信号Ｓ５を選択するように信号切替手段８ａを制御し、未記録エリアでは記録位置基準信号Ｓ６を選択するように信号切替手段８ａを制御する。
【００６６】
すなわち、切替タイミング生成回路８ｂは、光ディスク記録装置Ａが光ディスク１にデータを記録する際、光ディスク１のデータを読み取ることによって、既にデータが記録されている領域（以下、「記録済エリア」とする。）を判別すると共に、切替タイミング生成回路８ｂは、データが記録されていない領域（以下、「未記録エリア」とする。）及び、そのうちデータの記録を開始すべき位置（以下、「記録開始位置」とする。）を判別する。
【００６７】
そして、光ディスク１の記録動作において、光ディスク１にデータが書き込まれるまで（すなわち、記録済エリア）、擬似記録位置基準信号Ｓ５を選択し、その後、データの書き込み位置、すなわち記録開始位置になると、記録位置基準信号Ｓ６を選択する。
【００６８】
記録用基準クロック生成ＰＬＬ回路９は、記録用基準クロックＳ９を生成する回路であり、記録位置基準信号Ｓ６又は擬似記録位置基準信号Ｓ５のうち選択部８で選択された信号Ｓ８に基づいて記録用基準クロックＳ９を生成する。この記録用基準クロックは、信号Ｓ８を１８６倍の周波数に逓倍したクロック、すなわち１Ｔのクロックである。
【００６９】
この記録用基準クロック生成ＰＬＬ回路９は、図11に示すように、信号Ｓ７と後述の分周器９ｄからの出力信号との位相を比較する位相比較器９ａと、この位相比較器９ａからの差分信号を積分したあとローパスフィルタを通過させるループフィルタ９ｂと、ループフィルタ９ｂからの制御電圧に応じたクロックを生成及び出力する電圧制御発振器９ｃと、電圧制御発振器９ｃからの出力信号である記録用基準クロックＳ９を１／１８６に分周する分周器９ｄとから構成される。
【００７０】
以上のように構成された光ディスク記録装置Ａについて、図面を参照してその動作を具体的に説明する。
【００７１】
光ディスク記録装置Ａは、図示しない外部の装置から記録用データ及びそのデータの記録命令を受信すると、光ディスク１にデータを記録するための動作を開始する。
【００７２】
光ディスク１にデータを記録するに際し、選択部８は、光ディスク１の記録状態を検出して、光ディスク１の記録済エリア、未記録エリア及び記録開始位置を判別する。
【００７３】
その後、選択部８は、図12に示すように、光ディスク１にデータが書き込まれるまで、擬似記録位置基準信号Ｓ５を選択し、その後、データの書き込み位置、すなわち記録開始位置になると、記録位置基準信号Ｓ６を選択する。
【００７４】
このように選択部８が動作することによって、記録開始位置が所定の位置よりも前にあるとき、すなわち記録済データの記録が早く終わっているときには、図13（ａ）に示すように、記録位置基準信号Ｓ６が選択された後、記録用基準クロック生成ＰＬＬ回路９によって記録用基準クロックの記録位置基準信号Ｓ６との位相差ｐが吸収される。すなわち、記録位置基準信号Ｓ６が選択された後は、記録用基準クロックの記録位置基準信号Ｓ６との位相差ｐがあるため、それを吸収するために、記録用基準クロックの周波数をその位相差ｐに応じた期間遅くする。これにより、記録位置ずれを修正することが可能となる。
【００７５】
なお、記録開始位置が所定の位置よりも後にあるとき、すなわち記録済データの記録が遅く終わっているときにも同様であり、図13（ｂ）に示すように、記録位置基準信号Ｓ６が選択された後、記録用基準クロック生成ＰＬＬ回路９によって、記録用基準クロックの記録位置基準信号Ｓ６との位相差に応じた期間遅くして、その位相差を吸収する。
【００７６】
以上のように、本第1実施形態における光ディスク記録装置Ａによれば、記録済エリアと未記録エリアとで、光ディスク１に記録されたデータに対応するＲＦ信号から生成された再生用クロック信号Ｓ３と同期検出信号Ｓ４とから生成した擬似記録位置基準信号Ｓ５と、光ディスク１から抽出したウォブル信号から生成した記録位置基準信号Ｓ６とをいずれか選択して、記録用基準クロック生成ＰＬＬ回路９のリファレンスクロックとして入力するだけで、既に記録されたデータに連続するようにデータを記録することができ、しかも、記録終了位置のずれをも補正することができる。
【００７７】
したがって、従来のようにデータが記録されている位置とデータが本来記憶すべき位置とのずれ量を検出するといった複雑な回路構成を持つ必要がない。
【００７８】
なお、本第1実施形態においては、擬似記録位置基準信号Ｓ５の生成のために、同期検出信号Ｓ４を利用したが、ＬＰＰを利用してもよい。この場合、ＬＰＰを検出するＬＰＰ検出回路を設け、カウンタ７ａに代えて、ＬＰＰ検出信号及びウォブル信号によって作動するカウンタ７ａ´を設け、さらにデコーダ７ｂに代えて、ウォブル信号をクロックとするデコーダ７ｂ´を設けることによって実現することができる。
【００７９】
このデコーダ７ｂ´は、擬似記録位置基準信号Ｓ５として８ウォブル周期分を１周期とする信号を出力する。一方、記録位置基準信号処理増幅回路４も同様に８ウォブル周期分を１周期とする信号Ｓ４´を出力するようにする。
【００８０】
なお、デコーダ７ｂ´の出力信号を８倍の周波数に逓倍する回路を設けるようにすれば、記録位置基準信号処理増幅回路４は上述した１ウォブル周期分を１周期として出力する回路のままでよい。
【００８１】
また、本第１実施形態においては、光ディスク１としてＤＶＤ−ＲやＤＶＤ−ＲＷについて説明したが、ＤＶＤ＋ＲやＤＶＤ＋ＲＷなどにも適用することできるのはいうまでもない。
【００８２】
（第２実施形態）
次に、第２実施形態における光ディスク記録装置Ｂについて説明する。この光ディスク記録装置Ｂは、光ディスク記録装置Ａの機能に加え、各構成要素のばらつき、すなわち個体差により生じる装置のばらつきを自動で校正する機能を追加した光ディスク記録装置である。
【００８３】
以下、光ディスク記録装置Ｂについて図面を参照して具体的に説明する。図14は、光ディスク記録装置Ｂにおける記録用基準クロック生成に関連するブロックを示す図である。
【００８４】
この光ディスク記録装置Ｂは、第１実施形態における光ディスク記録装置Ａに位相差計測回路10を追加し、それにあわせて擬似記録位置基準生成回路を変更したものである。その他の構成については、基本的に光ディスク記録装置Ａと同等であるため、同じ符号をつけている。以下、光ディスク記録装置Ａと同等の構成については、説明を省略し、追加及び変更部分について具体的に説明する。
【００８５】
位相差計測回路10は、擬似記録位置基準信号生成回路17から出力される擬似記録位置基準信号Ｓ５´と記録位置基準信号処理増幅回路４から出力される記録位置基準信号Ｓ６との位相差を計測し、その計測結果である位相差情報の信号Ｓ11を擬似記録位置基準信号生成回路17へ出力する。この位相差計測回路10は、位相差計測部に対応する。
【００８６】
擬似記録位置基準信号生成回路17は、図15に示すように、位相差計測回路10から位相差情報信号Ｓ11を受信し、オフセット情報として、この位相差情報信号Ｓ11の情報をオフセット情報記憶部11に記録する。デコーダ18ｂは、このオフセット情報記憶部11に記録された位相差情報を監視しており、この位相差情報に応じて擬似記録位置基準信号Ｓ５´を生成する構成となっており、この構成が第１実施形態の記録位置基準信号処理増幅回路４から追加された部分である。なお、オフセット情報記憶部11は、レジスタにより構成することができる。
【００８７】
以下、このように構成された光ディスク記録装置Ｂの動作について、説明する。
【００８８】
まず、この光ディスク記録装置Ｂに校正用光ディスク１´が挿入される。光ディスク記録装置Ｂは、外部から図示しないインターフェイスを介し、記録用基準クロック生成回路に対する校正命令を受信すると、光ピックアップ２を駆動させて、校正用光ディスク１´からデータを読み取り、ＲＦ信号処理増幅回路３及び記録位置基準信号処理増幅回路４に信号Ｓ１が入力される。
【００８９】
その後、再生用基準クロック生成ＰＬＬ回路５で再生クロック信号Ｓ３が生成され、又ＲＦデータ系列ＳＹＮＣ検出回路６により同期検出信号Ｓ４が出力される。この再生クロック信号Ｓ３と同期検出信号Ｓ４とに基づいて、擬似記録位置基準信号生成回路17が擬似記録位置基準信号Ｓ５´を生成する。一方、記録位置基準信号処理増幅回路４からは記録位置基準信号Ｓ６が出力される。
【００９０】
次に、位相差計測回路10は、擬似記録位置基準信号Ｓ５´と記録位置基準信号Ｓ６との位相差を計測し、位相差情報信号Ｓ11として、擬似記録位置基準信号生成回路17へ出力する。
【００９１】
擬似記録位置基準信号生成回路17は、図16に示すように、位相差情報信号Ｓ11を受信するとこの情報をオフセット情報記憶部11に記録し、この位相差情報に応じて擬似記録位置基準信号Ｓ５´を生成する。
【００９２】
なお、本第２実施形態においては、この校正用光ディスクは、擬似記録位置基準信号Ｓ５´と記録位置基準信号Ｓ６との間に生じる遅延差が０となるようにデータが書き込まれているが、オフセット情報記憶部によって、構成することができれば、必ずしもこの遅延差が０となる必要はない。
【００９３】
以上のように、各構成要素の個体差が生じることによって、擬似記録位置基準信号Ｓ５´と記録位置基準信号Ｓ６との間に生じる遅延差を、位相差計測回路10及びオフセット情報記憶部11によって校正するようにしたので、個体差をそれほど気にすることなく設計を行なうことができ、しかも、その校正の実施も簡易な構成にて行なうことが可能となる。
【００９４】
なお、本第２実施形態においては、擬似記録位置基準信号Ｓ５´と記録位置基準信号Ｓ６との間に生じる遅延差の調整を擬似記録位置基準信号生成回路17によって行なうこととしたが、記録位置基準信号処理増幅回路４にオフセット情報記憶部を設けることによって、遅延差の補正をするようにしてもかまわない。
【００９５】
（第３実施形態）
次に、第３実施形態における光ディスク記録装置Ｃについて説明する。この光ディスク記録装置Ｃは、光ディスク記録装置Ａ，Ｂの機能に加え、校正用の基準信号生成回路12を設けた光ディスク記録装置である。
【００９６】
以下、光ディスク記録装置Ｃについて図面を参照して具体的に説明する。図17は、光ディスク記録装置Ｃにおける記録用基準クロック生成に関連するブロックを示す図である。
【００９７】
この光ディスク記録装置Ｃは、第２実施形態における光ディスク記録装置Ａに基準信号生成回路12を追加し、それにあわせて第２の選択部13を追加したものである。その他の構成については、基本的に光ディスク記録装置Ｂと同等であるため、同じ符号をつけている。以下、光ディスク記録装置Ｂと同等の構成については、説明を省略し、追加及び変更部分について具体的に説明する。
【００９８】
基準信号生成回路12は、光ピックアップ２が第２実施形態にける校正用光ディスク１´から読み込んだ信号と同等の信号を生成し、出力する回路であり、校正用信号生成部に対応する。
【００９９】
また、第２の選択部13は、光ピックアップ２から出力される信号Ｓ１´と基準信号生成回路12から出力される信号のうち、いずれか一の信号を選択して、後段のＲＦ信号処理増幅回路３や記録位置基準信号処理増幅回路４に対して出力する機能を有する。
【０１００】
以下、このように構成された光ディスク記録装置Ｃの動作について、説明する。
【０１０１】
まず、光ディスク記録装置Ｃは、外部から図示しないインターフェイスを介し、記録用基準クロック生成回路に対する校正命令を受信すると、第２の選択部13を切り替えて、基準信号生成回路12からの信号Ｓ12を選択して出力するパスを形成する。
【０１０２】
その後、基準信号生成回路12から校正用データ信号Ｓ12が出力され、第２の選択部13を介して、ＲＦ信号処理増幅回路３及び記録位置基準信号処理増幅回路４に信号Ｓ１´が入力される。
【０１０３】
その後、再生用基準クロック生成ＰＬＬ回路５で再生クロック信号Ｓ３が生成され、又ＲＦデータ系列ＳＹＮＣ検出回路６により同期検出信号Ｓ４が出力される。この再生クロック信号Ｓ３と同期検出信号Ｓ４とに基づいて、擬似記録位置基準信号生成回路17が擬似記録位置基準信号Ｓ５´を生成する。一方、記録位置基準信号処理増幅回路４からは記録位置基準信号Ｓ６が出力される。
【０１０４】
次に、位相差計測回路10は、擬似記録位置基準信号Ｓ５´と記録位置基準信号Ｓ６との位相差を計測し、位相差情報信号Ｓ11として、擬似記録位置基準信号生成回路17へ出力する。
【０１０５】
擬似記録位置基準信号生成回路17は、位相差情報信号Ｓ11を受信するとこの情報をオフセット情報記憶部11に記録し、この位相差情報に応じて擬似記録位置基準信号Ｓ５´を生成する。
【０１０６】
なお、本第３実施形態においては、外部から校正命令を受けたときにのみ校正動作を行なうこととしたが、光ディスク記録装置Ｃの電源ＯＮ時毎にこの校正動作を行なうようにしてもよく、また所定間隔で定期的に校正動作を行うようにしてもよい。
【０１０７】
以上のように、各構成要素の個体差が生じることによって、擬似記録位置基準信号Ｓ５と記録位置基準信号Ｓ６との間に生じる遅延差を、位相差計測回路10及びオフセット情報記憶部11によって校正するようにしたので、個体差をそれほど気にすることなく設計を行なうことができ、しかも、その校正の実施も簡易な構成にて行なうことが可能となる。また、第２実施形態にように校正用光ディスクを使用する必要がないため、この校正用光校正動作の実施を適宜自動的に行なうことが可能となる。
【０１０８】
なお、本第３実施形態においては、擬似記録位置基準信号Ｓ５と記録位置基準信号Ｓ６との間に生じる遅延差の調整を擬似記録位置基準信号生成回路17によって行なうこととしたが、記録位置基準信号処理増幅回路４にオフセット情報記憶部を設けることによって、遅延差の補正をするようにしてもかまわない。
【図面の簡単な説明】
【０１０９】
【図１】光ディスクの記録面の構成を示す図。
【図２】光ディスクのグルーブ領域のセクタ構成を示す図。
【図３】光ディスクのランドトラック領域のセクタ構成を示す図。
【図４】２同期フレームのグルーブトラック領域及びランドトラック領域の物理的な外観図。
【図５】ＬＰＰ信号の内容を示す図。
【図６】ＬＰＰ信号の内容を示す図。
【図７】ｂ２位置付近で検出するＬＰＰ信号と同期信号との関係を示す図。
【図８】第１実施形態における光ディスク記録装置の構成を示す図。
【図９】第１実施形態における擬似記録位置基準信号生成回路の構成を示す図。
【図１０】第１実施形態における光ディスク記録装置の説明図。
【図１１】記録用基準クロック生成ＰＬＬ回路の構成を示す図。
【図１２】第１実施形態における光ディスク記録装置の動作説明図。
【図１３】第１実施形態における光ディスク記録装置の動作説明図。
【図１４】第２実施形態における光ディスク記録装置の構成を示す図。
【図１５】第２実施形態における擬似記録位置基準信号生成回路の構成を示す図。
【図１６】第２実施形態における光ディスク記録装置の動作説明図。
【図１７】第３実施形態における光ディスク記録装置の構成を示す図。
【図１８】光ディスクの記録面の構成を示す図。
【図１９】光ディスクの記録面の構成を示す図。
【図２０】従来の光ディスク装置による光ディスクの記録状態を示す図。
【図２１】従来の光ディスク装置による光ディスクの記録状態を示す図。
【符号の説明】
【０１１０】
４  記録位置基準信号生成回路
７  擬似記録位置基準信号生成回路
８  選択部
９  記録用基準クロック生成回路
１０  位相差測定回路
１１  基準信号生成回路
【図１】
2006318617.tif 000003
【図２】
2006318617.tif 000004
【図３】
2006318617.tif 000005
【図４】
2006318617.tif 000006
【図５】
2006318617.tif 000007
【図６】
2006318617.tif 000008
【図７】
2006318617.tif 000009
【図８】
2006318617.tif 000010
【図９】
2006318617.tif 000011
【図１０】
2006318617.tif 000012
【図１１】
2006318617.tif 000013
【図１２】
2006318617.tif 000014
【図１３】
2006318617.tif 000015
【図１４】
2006318617.tif 000016
【図１５】
2006318617.tif 000017
【図１６】
2006318617.tif 000018
【図１７】
2006318617.tif 000019
【図１８】
2006318617.tif 000020
【図１９】
2006318617.tif 000021
【図２０】
2006318617.tif 000022
【図２１】
2006318617.tif 000023